【手続補正書】
【提出日】平成18年3月6日(2006.3.6)
【手続補正１】
【補正対象書類名】特許請求の範囲
【補正対象項目名】全文
【補正方法】変更
【補正の内容】
【特許請求の範囲】
【請求項１】
リセットライン（２５）を有するマイクロプロセッサ（１４）と、
リセット信号を発生するためのリセットライン（２７）を有するリセット回路（１５）と、
実行可能なコードを貯えるためのプログラム可能なメモリであって、前記プログラム可能なメモリを再プログラムするためのプログラミング・イネーブル・ピン（＿ＲＰ（ＲＰの前に付した＿は、ＲＰの論理否定を表す。））を有するプログラム可能なメモリ（１２）と、
前記プログラミング・イネーブル・ピン（＿ＲＰ）を前記マイクロプロセッサ（１４）のリセットライン（２５）と前記リセット回路（１５）のリセットライン（２７）に接続するための接続手段と、から成り、
フラッシュメモリを再プログラムしようとして、前記プログラミング・イネーブル・ピンにプログラミング電圧が供給されると、前記マイクロプロセッサ（１４）と前記リセット回路（１５）が破損される、セットトップボックスで使用される回路基板。
【請求項２】
前記接続手段が、抵抗またはジャンパ（１０）から成る、請求項１記載の回路基板。
【請求項３】
プログラミング電圧がプログラミング・イネーブル・ピン（＿ＲＰ）に供給されるとき、マイクロプロセッサ（１４）に破損が引き起こされるように、前記抵抗またはジャンパ（１０）が十分に低い値である、請求項２記載の回路基板。
【請求項４】
前記抵抗またはジャンパが、０．２５ワットで１００オームより小さい抵抗である、請求項２記載の回路基板。
【請求項５】
前記プログラミング電圧が１２ボルトである、請求項３記載の回路基板。
【請求項６】
前記プログラム可能なメモリがフラッシュメモリである、請求項１記載の回路基板。
【請求項７】
請求項１記載の回路基板を含み、テレビジョン放送信号を受信し、テレビジョン・セットに表示するために選択された信号をデコードするセットトップボックス。
【請求項８】
放送サービス・プロバイダーからの衛星放送を受信し、テレビジョン受像機に表示するためにテレビ番組をデコードし、衛星放送プロバイダーにより許可されたテレビ番組だけを表示するように適合化されたインテグレイテッド・レシーバ・デコーダとして機能するように適応化された、請求項７記載のセットトップボックス。
【請求項９】
プログラミング・イネーブル・ピン（＿ＲＰ）が、第２の抵抗（３０）を介して接地されている、請求項１記載の回路基板。
【請求項１０】
前記第２の抵抗（３０）が、０．１ワットで４キロオーム以上の抵抗である、請求項９記載の回路基板。
【請求項１１】
前記プログラム可能なメモリ（１２）が、ブートセクタを有し、前記実行可能なコードがブートセクタに貯えられている、請求項１記載の回路基板。
【請求項１２】
製造後、セットトップボックスを許可されることなく再プログラミングすることを防止する方法であって、前記セットトップボックスは、プログラミング・イネーブル・ピン（＿ＲＰ）を有するプログラム可能なメモリ（１２）と、リセットライン（２５）を有するマイクロプロセッサ（１４）と、リセットライン（２７）を有するリセット回路（１５）を含んでおり、
（ａ）前記プログラミング・イネーブル・ピン（＿ＲＰ）にプログラミング電圧を供給するステップと、
（ｂ）前記プログラム可能なメモリ（１２）をプログラミングするステップと、
（ｃ）前記プログラミング・イネーブル・ピン（＿ＲＰ）を前記リセットライン（２５，２７）に接続するステップとから成り、
前記フラッシュメモリ（１２）を再プログラムしようとして、前記プログラミング・イネーブル・ピン（＿ＲＰ）にプログラミング電圧を供給すると、前記マイクロプロセッサ（１２）が破損される、前記方法。
【請求項１３】
ステップ（ａ）の前に、前記プログラム可能なフラッシュメモリを回路基板にインストールするステップと、ステップ（ｃ）後の前記回路基板をはんだ付けするステップとを更に含む、請求項１２記載の方法。
【請求項１４】
ステップ（ｃ）が、前記プログラミング・イネーブル・ピン（＿ＲＰ）と前記リセットライン（２５，２７）の間に、抵抗またはジャンパ（１０）をインストールすることを含む、請求項１２記載の方法。
【請求項１５】
ステップ（ａ）の前に、
（ｄ）回路基板にはんだペーストを供給するステップと、
（ｅ）前記マイクロプロセッサ（１４）と、前記プログラム可能なメモリ（１２）と、前記リセット回路（１５）を前記回路基板上に配置するステップと、
（ｆ）はんだペーストを再び流すステップとを更に含む、請求項１２記載の方法。
【請求項１６】
ステップ（ｃ）の後に、
フラッシュメモリ（１２）のプログラミング・イネーブル・ピン（＿ＲＰ）を接続するために、抵抗またはジャンパ（１０）、前記リセット回路（１５）の前記リセットライン（２７）、前記マイクロプロセッサ（１２）の前記リセットライン（２５）を挿入するステップを更に含む、請求項１５記載の方法。
【請求項１７】
前記抵抗またはジャンパ（１０）の上にハードウエア構成要素を配置するステップを更に含み、以って前記回路基板が製造された後、前記抵抗またはジャンパ（１０）へのアクセスを禁止する、請求項１６記載の方法。
【請求項１８】
前記ハードウエア構成要素がスマートカード・コネクタである、請求項１７記載の方法。  
【請求項１９】
前記プログラム可能なメモリ（１２）をプログラミングした後、コードを有効化するステップを更に含む、請求項１６記載の方法。
【請求項２０】
前記プログラム可能なメモリが、ブートセクタを有するフラッシュメモリである、請求項１６記載の方法。
【手続補正２】
【補正対象書類名】明細書
【補正対象項目名】発明の名称
【補正方法】変更
【補正の内容】
【発明の名称】再プログラミングを禁止するセットトップボックスで使用される回路基板およびその禁止方法
【手続補正３】
【補正対象書類名】明細書
【補正対象項目名】０００２
【補正方法】変更
【補正の内容】
【０００２】
セットトップボックスは、テレフォン、ＩＳＤＮ，光ファイバ、またはケーブルのような通信チャネルに接続される１つまたはそれ以上の入力を有する、従来のテレビジョン受像機に出力を発生するように設計された電子的装置である。通常、セットトップボックスは、ソフトウエアを実行して、ユーザが何らかの方法でＴＶに示されるプログラム（番組）と、対話することができるようにする。インテグレイテッド・レシーバ・レコーダは、しばしばＭＰＥＧ−２形式で入ってくるトランスポート・ストリームを受信して、デコードし、テレビジョン受像機上にユーザに対して出力内容を提示する働きをする。ユーザは、リモコンによりＴＶおよびセットトップボックスと対話する。
【手続補正４】
【補正対象書類名】明細書
【補正対象項目名】０００５
【補正方法】変更
【補正の内容】
【０００５】
適当な視聴料を支払わないで、直接衛星放送サービスを受けようとする、ハッカーまたは著作権侵害者として知られる人達が居ることはよく知られている。彼らは、放送局や直接衛星放送会社が投資した利益を盗むものであり、また、結局は、芸術家の創造的な仕事に対する使用料を盗用するものである。何故なら、この種の使用料は、特定の放送を視聴する視聴者の数によく依存するからである。直接衛星放送会社は、広範囲の電子的対抗手段を試みてきたが、各々の電子的対抗手段に対して、ハッカーおよび著作権侵害者グループの人々は、電子的対抗手段をすり抜ける方法および装置（侵入して悪さをする）を開発し、ペイパービュー放送だけでなく、プレミアム・チャンネルを含む、無料の衛星放送を手に入れ続けてきた。技術的にそのように行いたいと思うハッカー達に対して、各電子的対抗手段は、回路設計を行ったり、電子的対抗手段を設計する技術者達よりも賢いものであることをハッカーのグループにおいて証明するために、解決されなければならない興味あるソフトウエアまたはハードウエアの問題を与える。他のハッカー達に対しては、反体制の見方あるいは労せずに得する利益を目的としている。
【手続補正５】
【補正対象書類名】明細書
【補正対象項目名】０００７
【補正方法】変更
【補正の内容】
【０００７】
インテグレイテッド・レシーバ・レコーダへのハッキング問題に対する解決策を与えることが本発明の目的である。
【手続補正６】
【補正対象書類名】明細書
【補正対象項目名】０００９
【補正方法】変更
【補正の内容】
【０００９】
本発明のこれらの目的、および他の目的は、以下の説明および図面から明らかとなり、消費者によりブートセクタを再プログラムしようとする試みは、インテグレイテッド・レシーバ・デコーダへの破損に終るように、フラッシュメモリのブートセクタを永久的にロッキングすることから成るインテグレイテッド・レシーバ・デコーダの製造方法に１つの特徴を有する本発明に向けられている。
【手続補正７】
【補正対象書類名】明細書
【補正対象項目名】００２７
【補正方法】変更
【補正の内容】
【００２７】
ハッカーが孔１６と１７の間の接続線を切断することは出来そうにないことである。たとえ、ハッカーが孔１６と１７の間の接続線を切断することができたとしても、ハッカーはフラッシュメモリ１２を再プログラムすることができないであろう。何故なら、＿ＲＰ（ＲＰの前に付した＿は、ＲＰの論理否定を表す。）ピン２２が抵抗３０を介して接地されており、フラッシュメモリ１２は、読み出しおよび書き込みに対してアクセスすることができないからである。